(57)【要約】      （修正有）【課題】家具、テントや組合せ式建築物などに適用可能であり、チューブ同士を脱着可能に結合することができ、構造が簡単であり、組付の自由度が高く、組付作業が便利であり、生産コストが低い継手を提供する。【解決手段】六つの結合面を有する六面体であり、各結合面にねじ穴が少なくとも一つ設けられる親具１０と、一つのチューブを嵌め設けることができ、六つの結合面１１のうちの一つと結合する当接面２１を有し、当接面の輪郭が結合面の輪郭の大きさを超えず、当接面には、ねじ穴に対応する貫通孔が設けられる子具２０と、貫通孔を挿通してねじ穴に締結可能で、親具と子具を脱着可能に結合することができる少なくとも一つのネジ３０とを備える。【選択図】図１
0003159234.tif 000002
【実用新案登録請求の範囲】
【請求項１】
六つの結合面を有する六面体であり、前記各結合面にねじ穴が少なくとも一つ設けられる親具と、
一つのチューブを嵌め設けることができ、前記六つの結合面のうちの一つと結合する当接面を有し、前記当接面の輪郭が前記結合面の輪郭の大きさを超えず、前記当接面には、前記ねじ穴に対応する貫通孔が設けられる子具と、
前記貫通孔を挿通して前記ねじ穴に締結可能であり、これにより、前記親具と前記子具を脱着可能に結合することができる少なくとも一つのネジと、
を備えることを特徴とする、継手。
【請求項２】
前記子具は、中空な四角柱形状を呈し、その前記当接面に対応する面が開放状態を呈することを特徴とする、請求項１に記載の継手。
【請求項３】
前記子具は、四つの嵌合面を有し、四つの前記嵌合面のうちの少なくとも一つには、ねじ穴が少なくとも一つ設けられ、前記ねじ穴により、チューブに前記子具を締結することができることを特徴とする、請求項２に記載の継手。
【請求項４】
前記子具は、中空な円柱形状を呈し、その前記当接面に対応する面が開放状態を呈することを特徴とする、請求項１に記載の継手。
【請求項５】
前記子具は、前記当接面を囲む嵌合面を有し、前記嵌合面にねじ穴が少なくとも一つ設けられ、前記ねじ穴により、チューブに前記子具を締結することができることを特徴とする、請求項４に記載の継手。
【請求項６】
前記親具は正６面体であることを特徴とする、請求項１に記載の継手。
【請求項７】
前記親具の前記結合面のうちの少なくとも一つは傾斜面であることを特徴とする、請求項１に記載の継手。
【考案の詳細な説明】
【技術分野】
【０００１】
本考案は継手に関し、特に、家具、テントや組合せ式建築物などに適用可能であり、チューブ同士を脱着可能に結合することができる継手に関するものである。
【背景技術】
【０００２】
従来、枠を構成するチューブ同士の結合は、溶接方式を採用することが一般である。しかし、チューブが溶接されると、簡単に分解することができず、溶接部位の表面に皺や変色が発生し、且つ溶接の過程中に溶接トーチなどの工具を利用することが必要であり、溶接トーチは、電力の消費が多く、危険性が高いため、溶接の専門者ではないと、溶接することが容易ではない。
【０００３】
各チューブにアダプターを組付けることにより、チューブの組付作業を簡単にすることができるが、従来のアダプターは、構造が複雑であり、生産コストが高く、種類が多すぎるため、共用性が良くない。
【０００４】
例えば特許文献１の「実験テーブルの固定枠組合せ用継手」は、ベースの相違する平面に複数の矩形断面を呈する嵌合チューブが一体に成形され、前記嵌合チューブに矩形断面を呈する組合せチューブを嵌合することができる。しかし、このような構成によれば、ベースの１面、２面、３面、４面、５面、又は６面に、矩形断面を呈する嵌合チューブを一体に形成することが必要であり、ベースに成形される複数の嵌合チューブの配列・組合せの可能性が多いため、十数種類の相違する仕様の継手を用意することが必要になり、そうすると、金型の作製コストが増加し、在庫管理も複雑になる。このような構成を組合せるときに、ある特定の継手が欠品する場合には、枠を予定の形状に組合せることができない。
【０００５】
また、特許文献２の「組合せ用多方向継手」は、一つのチューブに複数のアダプターを組付けて、これらの前記アダプターに別のチューブをそれぞれ嵌合する構成である。しかし、このような構成によれば、工事しているときには、チューブに複数のねじ穴を開けることが必要であり、電気ドリルによってねじ穴を開けることが危険性を有する工事であり、一般の人は簡単に施すことができず、且つベテランではないと、ねじ穴の位置を精確に開けることができない。そして枠を構成するチューブを分解して別の造形の枠に組合せたいときには、チューブに複数のねじ穴が開けられ、見栄えが破壊されたため、別の形状の枠の組合せに再利用することがよくない。
【先行技術文献】
【特許文献】
【０００６】
【特許文献１】台湾実用新案第Ｍ２９５７００号
【特許文献２】台湾実用新案第Ｍ３４９９７４号
【考案の概要】
【考案が解決しようとする課題】
【０００７】
本考案の主な目的は、構造が簡単であり、組付の自由度が高く、組付作業が便利であり、生産コストが低い継手を提供することにある。
【課題を解決するための手段】
【０００８】
本考案の継手によると、六つの結合面を有する六面体であり、前記各結合面にねじ穴が少なくとも一つ設けられる親具と、一つのチューブを嵌め設けることができ、前記六つの結合面のうちの一つと結合する当接面を有し、前記当接面の輪郭が前記結合面の輪郭の大きさを超えず、前記当接面には、前記ねじ穴に対応する貫通孔が設けられる子具と、前記貫通孔を挿通して前記ねじ穴に締結可能であり、これにより、前記親具と前記子具を脱着可能に結合することができる少なくとも一つのネジと、を備えることを特徴とする。
【０００９】
本考案の継手によると、前記子具は、中空な四角柱形状を呈し、その前記当接面に対応する面が開放状態を呈することを特徴とする。
【００１０】
本考案の継手によると、前記子具は、四つの嵌合面を有し、四つの前記嵌合面のうちの少なくとも一つには、ねじ穴が少なくとも一つ設けられ、前記ねじ穴により、チューブに前記子具を締結することができることを特徴とする。
【００１１】
本考案の継手によると、前記子具は、中空な円柱形状を呈し、その前記当接面に対応する面が開放状態を呈することを特徴とする。
【００１２】
本考案の継手によると、前記子具は、前記当接面を囲む嵌合面を有し、前記嵌合面にねじ穴が少なくとも一つ設けられ、前記ねじ穴により、チューブに前記子具を締結することができることを特徴とする。
【００１３】
本考案の継手によると、前記親具は正６面体であることを特徴とする。
【００１４】
本考案の継手によると、前記親具の前記結合面のうちの少なくとも一つは傾斜面であることを特徴とする。
【考案の効果】
【００１５】
本考案の継手によれば、家具、テントや組合せ式建築物などに適用可能であり、チューブ同士を脱着可能に結合することができ、構造が簡単であり、組付の自由度が高く、組付作業が便利であり、生産コストが低いという効果を有する。
【図面の簡単な説明】
【００１６】
【図１】本考案の第１実施例の継手とチューブの組付方法を示す斜視図である。
【図２】本考案の第１実施例の継手とチューブの組付済み状態の斜視図である。
【図３】本考案の第１実施例の継手の分解斜視図である。
【図４】本考案の第１実施例の継手の組合済み状態の斜視図である。
【図５】本考案の第１実施例の継手とチューブの組付方法を示す斜視図である。
【図６】本考案の第１実施例の継手とチューブの組付方法を示す拡大斜視図である。
【図７】本考案の第１実施例の継手とチューブの組付済み状態の斜視図である。
【図８】本考案の第２実施例の継手とチューブの組付方法を示す拡大斜視図である。
【図９】本考案の第３実施例の継手とチューブの組付方法を示す斜視図である。
【図１０】本考案の第３実施例の継手とチューブの組付方法を示す拡大斜視図である。
【図１１】本考案の第２実施例の継手とチューブの組付方法を示す拡大斜視図である。
【図１２】本考案の第２実施例の継手とチューブの組付方法を示す拡大斜視図である。
【考案を実施するための形態】
【００１７】
以下、本考案の実施の形態を図面に基づいて説明する。
【実施例１】
【００１８】
まず、図１乃至図４を参照する。本考案の第１実施例の継手は、親具１０と、少なくとも一つの子具２０と、少なくとも一つのネジ３０と、を含む。
【００１９】
親具１０は、六つの結合面１１を有する六面体である。親具１０は、正６面体であり、各結合面１１にねじ穴１２が少なくとも一つ設けられることが好ましい。
【００２０】
子具２０に一つのチューブ４０を嵌め設けることができる。子具２０の数量は、結合したいチューブ４０の数量と同じである。子具２０は、六つの結合面１１のうちの一つと結合する当接面２１を有し、当接面２１の輪郭が結合面１１の輪郭の大きさを超えず、当接面２１には、ねじ穴１２に対応する貫通孔２２が設けられる。貫通孔２２の数量は、ねじ穴１２の数量と同じであることが好ましい。本実施例では、子具２０は、中空であり、矩形断面を有し、その当接面２１に対応する面（すなわち、子具２０のチューブ４０に対向する面）が開放状態を呈し、また、チューブ４０には、子具２０の輪郭に合う四角穴４１が設けられ、四角穴４１により、子具２０にチューブ４０を嵌合することができる。組付後に、チューブ４０の外面は親具１０と揃っていることが好ましい。
【００２１】
ネジ３０の数量は、ねじ穴１２と貫通孔２２との数量と同じである。ネジ３０は、貫通孔２２を挿通してねじ穴１２に締結可能であり、これにより、親具１０と子具２０を脱着可能に結合することができる。ネジ３０は、子具２０の開放状態を呈する面から貫通孔２２を挿通してねじ穴１２に締結することが好ましい。
【００２２】
図５乃至図７に示すように、親具１０の各結合面１１に一つのチューブ４０をそれぞれ接合したいときには、各結合面１１に一つの子具２０を締結して、子具２０にチューブ４０を嵌合すると、組付作業が快速に完成した。
【実施例２】
【００２３】
子具２０は、緊迫手段によりチューブ４０に固定してもいいし、図８に示すように、その四つの嵌合面２３のうちの少なくとも一つに少なくとも一つのねじ穴２３１を設け、ねじ穴２３１に対応する貫通孔４２をチューブ４０に設け、ネジ５０によりチューブ４０と子具２０を結合してもよい。ねじ穴２３１と貫通孔４２は、工場に予め加工することが好ましい。そうすると、組付作業の現場に穴あけなどの作業を施す必要がなくなり、一般の人でも容易に組付けることができる。
【実施例３】
【００２４】
図９及び図１０を参照する。子具２０´は、中空な円柱形状を呈し、チューブ４０が円形断面を有するチューブである。すなわち、相違する断面形状を有するチューブ４０を連結したいときには、チューブ４０の断面形状に対応する断面形状を有する子具を変更するだけで、子具２０´にチューブ４０を嵌合することができ、そして親具１０がそのまま流用することができる。子具２０´は、中空な円柱形状を呈するため、当接面２１´を囲む嵌合面２３´を有し、嵌合面２３´にねじ穴が少なくとも一つ設けられ、前記ねじ穴により、チューブ４０に子具２０´を締結することができる。
【００２５】
本考案では、チューブは、上記の実施例のような幾何形状の断面を有してもいいし、必要によって外観を変化してもよい。例えば、図１１に示すように、チューブの両端を開放状態にしてもいいし、図１２に示すように、チューブの一面に長い溝を設けてもよい。しかし、チューブの外観の変化は、本考案の継手の組付けに影響しないことを前提とする。
【００２６】
上記の各実施例では、チューブがそれに対応する結合面と垂直するが、親具の少なくとも一つの結合面を傾斜面に変更してもよい。そうすると、前記傾斜面に配されるチューブが親具と垂直しなくなる。
【００２７】
上記の説明から明らかなように、本考案のこのような構成によれば、各種の断面形状を有するチューブを組付けることができ、親具および子具を分解して再利用することができ、家具、テントや組合せ式建築物などに適用可能であり、そしてチューブ同士を脱着可能に結合することができ、構造が簡単であり、組付の自由度が高く、組付作業が便利であり、生産コストが低い。
【００２８】
このように、本考案が、特定の例を参照して説明したが、それらの例は、説明のためだけのものであり、本考案を限定するものではなく、この分野に通常の知識を有する者には、本考案の要旨および特許請求の範囲を逸脱することなく、ここで開示された実施例に変更、追加、または、削除を施してもよいことがわかる。
【産業上の利用可能性】
【００２９】
本考案は、継手に適用することができる。
【符号の説明】
【００３０】
１０：親具、１１：結合面、１２：ねじ穴、２０，２０´：子具、２１，２１´：当接面、２２：貫通孔、２３，２３´：嵌合面、３０：ネジ、４０：チューブ、４１：四角穴、４２：貫通孔、５０：ネジ、２３１：ねじ穴。
【図１】
0003159234.tif 000003
【図２】
0003159234.tif 000004
【図３】
0003159234.tif 000005
【図４】
0003159234.tif 000006
【図５】
0003159234.tif 000007
【図６】
0003159234.tif 000008
【図７】
0003159234.tif 000009
【図８】
0003159234.tif 000010
【図９】
0003159234.tif 000011
【図１０】
0003159234.tif 000012
【図１１】
0003159234.tif 000013
【図１２】
0003159234.tif 000014